(57)【要約】【課題】静音性及び打撃感触を向上させる。【解決手段】打撃パッド１０は、パッド部１１及び接続部１２は、弾性を有するゴム材等の軟質材で形成される。接続部１２は、パッド部１１の周縁部１１ｂと支持部１３とを接続してパッド部１１を支持部１３に支持させる。接続部１２は薄肉に形成され、非打撃状態において、支持部１３の内径方向に屈曲した屈曲形状となっている。パッド部１１の打撃面１１ａが打撃されたとき、接続部１２は、伸長、圧縮及び曲げのうち主として圧縮または曲げにより弾性変形することで、パッド部１１の少なくとも周縁部１１ｂが打撃方向へ変位することを接続部１２が許容する。【選択図】図１
2015230363.tif 000002
【特許請求の範囲】
【請求項１】
打撃部材により押される方向を打撃方向として打撃される打撃面を有するパッド部と、
支持部と、
弾性を有し、前記パッド部の周縁部と前記支持部とを接続して前記パッド部を前記支持部に支持させる接続部と、を有し、
前記パッド部の前記打撃面が打撃されたとき、前記接続部は、伸長、圧縮及び曲げのうち主として圧縮または曲げにより弾性変形することで、前記パッド部の少なくとも前記周縁部の打撃方向への変位を許容することを特徴とする打撃パッド。
【請求項２】
前記パッド部よりも前記接続部の方が薄肉に構成されることを特徴とする請求項１記載の打撃パッド。
【請求項３】
前記接続部は屈曲形状に構成されることを特徴とする請求項１または２記載の打撃パッド。
【請求項４】
前記パッド部の裏側に配設され、前記パッド部の裏面に対向する対向面を有した緩衝材を有し、
非打撃状態において前記パッド部の裏面が前記緩衝材の前記対向面に面当接しているか、または、非打撃状態において前記パッド部の裏面が前記緩衝材の前記対向面に対して間隙を保って近接対向し、前記パッド部の前記打撃面が打撃されたとき、前記パッド部の裏面が前記緩衝材の前記対向面に面当接し得ることを特徴とする請求項１〜３のいずれか１項に記載の打撃パッド。
【発明の詳細な説明】
【技術分野】
【０００１】
本発明は、打楽器等に適用され、打撃される打撃面を有するパッド部を備える打撃パッドに関する。
【背景技術】
【０００２】
打楽器等に適用される打撃パッドは、フレームや胴等の支持部に支持され、打撃部材によってパッド部の打撃面が打撃される。従来技術として、下記特許文献１に示されるように、パッド部が薄肉部を介して支持部に支持される構成が知られている。打撃されたときに、薄肉部の弾性によってパッド部が打撃方向に沈む。
【先行技術文献】
【特許文献】
【０００３】
【特許文献１】特開２００４−２８７３５６号公報
【発明の概要】
【発明が解決しようとする課題】
【０００４】
しかしながら、上記従来の打撃パッドでは、打撃の際の薄肉部の弾性変形は主として単純な伸長であって変形量が小さいため、打感と静音性の向上には不十分である。
【０００５】
また、薄肉部が十分に弾性変形できないと、パッド部それ自体が局所的に変形しやすくなり、反発力を発生させることから、打感や静音性に悪影響を及ぼす。特に弱打撃時には反発力が大きく感じられ、打面がとても硬く認識される。
【０００６】
本発明は上記従来技術の問題を解決するためになされたものであり、その目的は、静音性及び打撃感触を向上させることができる打撃パッドを提供することにある。
【課題を解決するための手段】
【０００７】
上記目的を達成するために本発明の請求項１の打撃パッドは、打撃部材により押される方向を打撃方向として打撃される打撃面（１１ａ）を有するパッド部（１１）と、支持部（１３）と、弾性を有し、前記パッド部の周縁部（１１ｂ）と前記支持部とを接続して前記パッド部を前記支持部に支持させる接続部（１２）と、を有し、前記パッド部の前記打撃面が打撃されたとき、前記接続部は、伸長、圧縮及び曲げのうち主として圧縮または曲げにより弾性変形することで、前記パッド部の少なくとも前記周縁部（１１ｂ）の打撃方向への変位を許容することを特徴とする。
【０００８】
なお、上記括弧内の符号は例示である。
【発明の効果】
【０００９】
本発明の請求項１によれば、静音性及び打撃感触を向上させることができる。
【００１０】
請求項２、３、４によれば、打撃面が平坦を保ったままパッド部全体が打撃方向に変位しやすくなり、打撃時の衝撃が軽減される。
【図面の簡単な説明】
【００１１】
【図１】本発明の一実施の形態に係る打撃パッドの模式的断面図（図（ａ））、背面図（図（ｂ））である。
【図２】第１〜第４の変形例の接続部及びその周辺を示す模式的断面図である。
【図３】第５、第６の変形例に係る打撃パッドの模式的断面図である。
【発明を実施するための形態】
【００１２】
以下、本発明の実施の形態を図面を参照して説明する。
【００１３】
図１（ａ）、（ｂ）は、本発明の一実施の形態に係る打撃パッドの模式的断面図、背面図であり、非打撃状態を示している。特に図１（ａ）は、図１（ｂ）のＡ−Ａ線に沿う断面を示している。
【００１４】
本発明の打撃パッド１０は電子打楽器への適用が想定され、キックドラムが好適であるが、それに限られず、例えば練習専用の打撃パッドとして構成されてもよい。
【００１５】
この打撃パッド１０は、ボディ１５に取り付けられる。ボディ１５は、床面等に設置される不図示のスタンドに支持される。
【００１６】
この打撃パッド１０は、主な構成要素として、パッド部１１、接続部１２、支持部１３及び取付部１４を有する。図１（ａ）、（ｂ）に示す例では、これらパッド部１１、接続部１２、支持部１３及び取付部１４は一体に形成されているが、これらは別素材で且つ別体で形成してから接続ないし組み付けてもよい。
【００１７】
パッド部１１及び接続部１２は、弾性を有するゴム材等の軟質材で形成される。支持部１３は、シェルのように円筒状に形成され、円筒状の内部を隠す役割を果たす。支持部１３及び取付部１４はゴム材また硬質樹脂で構成される。
【００１８】
取付部１４が、ボディ１５の裏側（図１（ａ）の右側）に接着等で固定されることで、パッド部１１、接続部１２及び支持部１３がボディ１５に対して固定状態とされる。ボディ１５への取付部１４の取付方法は接着に限られず、ネジ等の固着具を用いた方法でもよいし、圧入や嵌合を用いてもよい。また、ボディ１５と取付部１４との間に介在部材を介在させて両者を連結してもよい。
【００１９】
パッド部１１の正面視形状に限定はないが、一例として円形である。接続部１２は、パッド部１１の周縁部１１ｂと支持部１３とを接続する。接続部１２は薄肉に形成され、予め（非打撃状態において）、支持部１３の内径方向に突出するように屈曲（ないし湾曲）した形状となっている。
【００２０】
パッド部１１は、均等な厚みの板状を成す。パッド部１１の表面である打撃面１１ａがビータ等の打撃部材３０（図１（ｃ）参照）で打撃される。打撃部材３０による打撃方向は、平坦な打撃面１１ａに垂直な方向であり、打撃部材３０により押される方向である。接続部１２の肉厚は、パッド部１１の肉厚や支持部１３の肉厚よりも薄く、弾性変形しやすくなっている。なお、パッド部１１には、平坦な形状を保ちやすいように、内部に硬質部材を内包させてもよい。
【００２１】
ボディ１５の表側（図１（ａ）の左側）には、環状のクッション材１９が固定され、クッション材１９の表側にプレート１８が固着される。プレート１８の表側に円柱状のクッション材１６が固着される。クッション材１６、１９及びプレート１８は、パッド部１１、接続部１２及び支持部１３によって外方から見えないようになっているが、一部が見えるようにしてもよい。
【００２２】
プレート１８の裏面においてクッション材１９の環状の内側には、打撃センサ１７が配設される。打撃センサ１７はピエゾ素子等で構成され、パッド部１１の振動から打撃を検出する。
【００２３】
パッド部１１の裏面１１ｃにクッション材１６の表面１６ａが平行に対向している。非打撃状態において、パッド部１１の裏面１１ｃとクッション材１６の表面１６ａとは、クッション材１６がわずかに圧縮状態となるように面当接している。従って、クッション材１６は、基本的には、プレート１８及びクッション材１９を介してボディ１５によって保持されるが、表側から、パッド部１１によっても補助的に保持される構成となっている。
【００２４】
なお、裏面１１ｃと表面１６ａとは、僅かな間隙を保って近接対向していてもよいが、その場合、少なくとも弱打以上の打撃時には、裏面１１ｃが表面１６ａに対して全体として面当接するように両者の位置関係を規定するのが望ましい。
【００２５】
接続部１２はそれ自身で弾性を有するので、パッド部１１の打撃面１１ａの打撃時には接続部１２が弾性変形することによって、パッド部１１の全体が打撃方向に沈むのを許容する。打撃されて沈んだパッド部１１が元の位置に復帰する際に変位する方向を、打撃方向の反対側の方向と称する。
【００２６】
図１（ｃ）は、打撃時における打撃パッド１０の模式的断面図である。
【００２７】
接続部１２に比べてパッド部１１の剛性は十分に高いので、打撃時には、パッド部１１は、周縁部１１ｂを含む全体が平板状の形態をほぼ保ったまま（打撃面１１ａがほぼ平面の形態を保ったまま）パッド部１１の全体が打撃方向に変位する（図１（ｃ））。パッド部１１が打撃されて打撃方向に変位する行程において、接続部１２には、伸長、圧縮及び曲げのうち主として圧縮または曲げを主とする弾性変形が生じる。すなわち、図１（ａ）から図１（ｃ）までの行程では、接続部１２には、部分的には伸長が生じないとは限らないが、圧縮や曲げが生じる領域がほとんどである。図１（ｃ）に示すように、打撃時には接続部１２の屈曲の程度が増加している。
【００２８】
本実施の形態によれば、打撃面１１ａが打撃されたとき、接続部１２は、主として圧縮または曲げにより弾性変形することで、パッド部１１の周縁部１１ｂが打撃方向へ変位することを接続部１２が許容するので、打撃面１１ａがほぼ平坦を保ったままパッド部１１の全体が打撃方向に平行に変位する。これにより、打撃時の衝撃が緩和され、打撃時のアタック音（生音）が抑制される。それと共に、打撃に対する反発力が小さくなるので、打撃面１１ａが硬いという認識を薄くすることができる。よって、静音性及び打撃感触を向上させることができる。
【００２９】
また、接続部１２はパッド部１１よりも薄肉で、屈曲形状である。しかも、打撃時には、パッド部１１の裏面１１ｃの全体がクッション材１６の表面１６ａに面当接し得る。これらにより、打撃面１１ａがほぼ平坦を保ったまま、反発が少ない状態でパッド部１１全体が打撃方向に変位しやすくなり、打撃時の衝撃が軽減され、生ドラムの打撃感触に近づく。
【００３０】
（変形例）
パッド部１１と支持部１３とを接続する接続部１２について、図１に示した以外にも各種の変形例が考えられる。打撃面１１ａがほぼ平坦を保ったままパッド部１１全体が打撃方向に変位しやすくし、静音性及び打撃感触を向上させるためには、まず、パッド部１１の少なくとも周縁部１１ｂが打撃方向へ変位するように構成する必要がある。そのために、接続部１２は、打撃面１１ａが打撃されたときに主として圧縮または曲げにより弾性変形するように構成すればよい。以下、図２で接続部１２の変形例を示す。
【００３１】
図２（ａ）〜（ｄ）は、第１〜第４の変形例の接続部１２及びその周辺を示す模式的断面図である。
【００３２】
第１の変形例（図２（ａ））の接続部１２は、断面形状が波形形状となっている。波の数は問わない。第２の変形例（図２（ｂ））の接続部１２は、打撃方向に突出するよう湾曲している。第３の変形例（図２（ｃ））の接続部１２は、支持部１３の外周方向に突出するよう湾曲している。第４の変形例（図２（ｄ））の接続部１２は、打撃方向の反対方向に突出するよう湾曲している。
【００３３】
なお、ボディ１５に対する支持部１３の取り付けの態様や支持部１３の構成については、図３（ａ）、（ｂ）に示すように、各種の変形例が考えられる。
【００３４】
図３（ａ）、（ｂ）は、第５、第６の変形例に係る打撃パッドの模式的断面図である。まず、第５の変形例（図３（ａ））では、打撃パッド１０は、図１で示した取付部１４に代えて、取付部２１を有する。取付部２１は、支持部１３の打撃方向の端部に環状に形成される。取付部２１が、ボディ１５の表側（図３（ａ）の左側）に接着等で固定されることで、パッド部１１、接続部１２及び支持部１３がボディ１５に対して固定状態とされる。ボディ１５への取付部２１の取付方法は取付部１４と同様に接着に限られない。
【００３５】
また、第６の変形例（図３（ｂ））では、打撃パッド１０の支持部１３を、別素材によって第１支持部１３ａと第２支持部１３ｂとに分けて構成し、第１支持部１３ａと第２支持部１３ｂとを連結固定する。第１支持部１３ａはプラスチック等で形成され、第２支持部１３ｂはパッド部１１と一体にゴム等で形成される。
【００３６】
なお、本発明の打撃パッド１０は、キックドラムに限られず、スネアドラムやタムタム等にも適用可能である。特に、図３（ｂ）に示す支持部１３の構造を採用した場合は、支持部１３がシェルの形態を成さない構成を採用するのが容易である。従って、支持部１３の外形寸法は一様でなくても良く、例えば、打撃方向または打撃方向の反対方向にいくにつれて直径が変化する形状としてもよい。また、支持部１３の外郭形状は円筒状に限られない。このように形状の自由度が高いので、キックドラム以外のドラムに打撃パッド１０を適用することが容易となる。
【００３７】
なお、実施の形態及び各変形例において、接続部１２は円周方向において切欠部を所定間隔で設け、接続部１２の肉部を複数に分割してもよい。あるいは、接続部１２に複数の小孔を形成してもよい。打撃時には、これら切欠部や小孔を空気が通過するので、打撃音が小さくなる。この場合は、上記した各種の接続部１２の変形例を、円周方向に分割した接続部１２の肉部に組み合わせて適用してもよい。あるいは、複数種類の形状の接続部１２を２重または３重以上に重ねて適用してもよい。その場合、複数種類の形状の接続部１２のそれぞれの中心を一致させるように、各接続部１２を同心円上に形成するのがさらによい。
【００３８】
なお、支持部１３のうち接続部１２と接続される部分は、リムとして把握される構成要素であってもよい。
【００３９】
以上、本発明をその好適な実施形態に基づいて詳述してきたが、本発明はこれら特定の実施形態に限られるものではなく、この発明の要旨を逸脱しない範囲の様々な形態も本発明に含まれる。上述の各変形例の一部を適宜組み合わせてもよい。
【符号の説明】
【００４０】
１０  打撃パッド、  １１  パッド部、  １１ａ  打撃面、  １１ｂ  周縁部、  １１ｃ  裏面、  １２  接続部、  １３  支持部、  １６  クッション材（緩衝材）、  １６ａ  表面（対向面）
【図１】
2015230363.tif 000003
【図２】
2015230363.tif 000004
【図３】
2015230363.tif 000005